Podtech/llm-jp-corpus-v4-ja_patent huggingface dataset:
(57)【要約】      （修正有）【課題】医者・薬物に頼らず、自分で腰痛を治すことのできる椎間板牽引治療器を提供する。【解決手段】ウエストエアトラック７に内蔵された積層チュウブ３へ手動ポンプ６から空気を送り積層チュウブを膨らませて脊柱を押し広げ骨と椎間板も密着しているのを押し広げ突出していた椎間板を積層チュウブの圧迫で収縮させる。【選択図】図１
2005305079.tif 000002
【特許請求の範囲】
【請求項１】
７・ウエストエアトラックに内蔵された３・積層チュウブへ６・手動ポンプから空気を送り３・積層チュウブを膨らませ脊柱を押し広げ１・骨と２・椎間板も密着しているので脊柱を上下に押し広げ骨から突出していた椎間板を積層チュウブの圧迫で収縮するので腰痛もなくなる椎間板牽引治療器。
【請求項２】
足膝関節の痛みを７・足エアトラックに内蔵されている３・積層チュウブへ６・手動ポンプから空気を送り積層チュウブを膨らませ骨と椎間板を押し広げ外に突出していた２・椎間板を足エアトラック内蔵の３・積層チュウブで圧迫し収縮させ神経に触れなくさせ膝痛も無くなる椎間板牽引治療器。
【請求項３】
腕間接痛を７・腕エアトラックに内蔵されている３・積層チュウブに６・手動ポンプで空気を送り間接を押し広げ外に突出している２・椎間板を積層チュウブで間接を広げ突出していた椎間板を収縮して元の間接へ戻す椎間板牽引治療器。
【請求項４】
首間接痛を７・首エアトラックに内蔵されている３・積層チュウブに６・手動ポンプで空気を送り間接を押し広げ外に突出している２・椎間板を３・積層チュウブで圧迫し押し広げ椎間板を収縮して元の関節へ戻す椎間板牽引治療器。
【発明の詳細な説明】
【技術分野】
【０００１】  近年、腰痛、足痛、腕痛、首痛に悩まされる人が増えているのを、医者に頼ってばかりではいられないので、自分でリハビリの積もりで、医者が治してくれない腰痛激痛図面を見ながらウエストトラックに内蔵されている積層チュウブに空気を手動で送り、積層チュウブは膨らみ且つ伸びて、当てられた腰などの骨と椎間板は上下に広がる、骨から突出していた椎間板を積層チュウブの圧力で収縮して元の位置に戻してやる、今まで激痛に襲われていた腰痛を和らげてくれる椎間板牽引治療器。
【背景技術】
【０００２】    断層状の積層チュウブは送られた空気でその場で膨らみ、上へ下へと伸びチュウブと密着している脊柱骨盤は上と下へと広がり、骨盤から逸脱していた椎間板の神経は骨盤と骨盤の間に空気で圧迫されるので、今まで突出していた椎間板の神経は元に戻り一寸の動きでは、骨盤の中に治まっている、殆ど痛みは感じない、その後はリハビリとして体操と只歩くことだけです、歩けば脊椎と堆骨をつなぐ靭帯が強化され堆骨と堆骨の間にあって骨同士がぶっつからないようにクッションの役目をする靭帯が骨と骨同士が当たらないようになるのです。腰痛体操の目的（１）筋肉や間接の柔軟性を保つ（２）血行を良くする、血液が、体の一つひとつの細胞に酸素や栄養を運んできて、出来た老廃物を運び出してくれる、（３）筋肉を強化する為、歩くことです。歩けば腰の筋肉が強まり椎間板にかかる負担も少なくなり自然と腰痛は全快する結果となる。
【発明の開示】
【発明が解決しようとする課題】    今まで、ヘルニアの治療法として（１）痛み止めなどの内服薬、座薬、（２）神経ブロック療法注射によって痛みを発している脊髄周辺に直接、薬剤を注入して痛みの悪循環を断ち切る注射、（３）牽引療法  腰や両足にベルトをかけその先端に錘をつけて背骨を引き伸ばす牽引療法、（４）コルセット腰椎を外側から固定して椎間板にかかる負担を少なくする、（５）切開手術（ヘルニア切除手術）があった。  が、切開手術を施しても，その当座は良いが又，取り残した椎間板ヘルニアが再び脱出してきて症状が再発するケースも多い。
【課題を解決するための手段】
【０００４】  痛みの根本は関節椎間板の突起又は逸脱から始まるので、骨と椎間板の間を広げ、逸脱している椎間板を元の位置に戻す装置として、椎間板治療器を腰に巻いて治療する。
本発明の椎間板牽引治療器は人体の背柱の下部で、骨盤の上部の屈折し得る部分に椎間板牽引器を当て、椎間板牽引器の断層状のチュウブに手動で空気を送ると、空気で膨らみ、骨と椎間板と密着したチュウブは、上下に広がるので骨と椎間板も上下へ共に広がり、今まで、骨外に突出ていた（ヘルニア）椎間板は、元に戻ろうとして骨と骨の間に収まる。収まった椎間板は、触れるものが無いので、神経の痛みも無くなり元の健康体へと戻る椎間板牽引治療器。
【発明の効果】  本発明は、医者を忌むものものではありませんが、それぞれの大衆に腰痛の痛みを治すのに手術もせず、手っ取り早く只、腰痛牽引治療器を腰に巻いて試して見れば、一晩で今まで人手を借りてしか行けなかったトイレが自分一人で、起きてトイレに行けるようになる痛みをなくすためと歩く為の腰椎牽引治療器。
【発明を解決するための最良の形態】
【０００５】（１）風呂上り又体を良く拭いて、骨盤痛い個所の真上にウエストエアトラックを装着し手動で空気を入れ膨らませ、突き出ている腰椎と椎間板を積層チュウブで圧迫して、収縮して骨盤内へ戻してやるので神経を圧迫しなくなる椎間板牽引治療器。
（２）断層状の積層チュウブに手動で送られた空気はその場で膨らみ、断層の如く密着したチュウブで脊椎を上へ下へと押し広げ、突き出ていた腰椎の椎間の神経が周囲に当たらぬよう押し広げ元の位置に戻す椎間板牽引治療器。
（３）ウエストエアトラックはＳ，Ｍ，Ｌ，ＬＬ，と各個人によってサイズが違うので、製作の段階でウエスト背部に、フリーと為るよう蛇腹にして（使用時端ボタンを外して自分のサイズに合わせ装着又痛みに速効性を持つトルマリンを圧着）拡大、縮小を設けている。
（４）材質  ウエストは合成樹脂、合成皮革、エアポンプ、エアホース、積層チュウブ、チュウブポケット、伸縮自在の蛇腹式からなる。必要ない時は折り畳んで置く。
【産業上の利用可能性】
【０００６】  今まで、腰痛持ちの人は腰が痛くて歩けなかったが椎間板牽引治療器を腰に巻いて歩くと中に内蔵されている積層チュウブからの空気圧迫で脊柱は上下に開き痛みの元、椎間板神経は収縮して痛みはなくなる、歩けるので血液の循環が良くなり一つ一つの細胞に酸素や栄養を運んできて老廃物を運び出してくれます、歩くと腰堆筋肉強化で靭帯がしっかりしてきて背骨もキープされ椎間板にかかる負担も少なくなる、歩ける椎間板牽引治療器。【０００７】  老年齢は、後は足腰の弱い貧困者である。整形又治せる病院は保険が利かない。此れを解決するために政府厚労省は保険が利く看護士程度の医局を各都道府県に開いて貰いたい。
【図面の簡単な説明】
【０００８】
【図１】  ウエストトラック内の構成図である。
【図２】  突出した椎間板、圧迫された神経根  広がった堆間間隔  収縮した椎間板圧迫なしの腰部写真図面である。
【符号の説明】
【０００９】  １  骨
２  椎間板
３  積層チュウブ
４  通気孔
５  蛇腹折畳んで一方へ倒す前の状態（トルマリン内側圧着）
６  手動ポンプ
７  ウエストエアトラック（マジックテープ付き）
８  蛇腹式（トルマリン内側圧着）
９  ボタン
１０  ボタン穴
【図１】
2005305079.tif 000003
【図２】
2005305079.tif 000004
(57)【要約】      （修正有）【課題】マイナス電位電極により、蓄熱材よりの温熱を減衰するのを防止する蓄熱・蓄電マイナス電位温熱器を提供する。【解決手段】蓄熱材を内蔵ヒーターにて蓄熱時に、マイナス高圧により電極部を蓄電する蓄熱・蓄電マイナス電位温熱器において、電極１１をアルミ箔、中間樹脂板に極薄樹脂板１２、その上に帯電効率の良い、極薄低発泡スチロール樹脂を使用するものである。【選択図】図３
2005305071.tif 000002
【特許請求の範囲】
【請求項１】
蓄熱材３による温熱器１に蓄電用電極部９を設け、蓄熱材３を内蔵ヒーター４にて畜熱時に、同時にマイナス高圧により電極部９を蓄電する、コードレス蓄熱・蓄電マイナス電位温熱器。
【請求項２】
請求項１に記載の電極部９に於いて、電極１１にアルミ箔を使用し、この電極１１でサンドイッチする樹脂板１０に、ポリカーボネイトの極薄板を使用した、コードレス畜熱・蓄電マイナス電位温熱器。
【請求項３】
請求項１に記載の電極部９に於いて、電極部９上にスチレンペーパー極薄板を使用した、コードレス畜熱・蓄電マイナス電位温熱器。
【請求項４】
請求項１に記載の電極部９に於いて、電極部９上にスチレンボード極薄板を使用した、コードレス蓄熱・蓄電マイナス電位温熱器。
【請求項５】
マイナス電位用として小形高圧積層乾電池１６を使用し、そのマイナス側１７を、蓄熱材容器２に張り付けたアルミ箔電極１５に接続せる、コードレス蓄熱・蓄電マイナス電位温熱器。
【発明の詳細な説明】
【技術分野】
【０００１】  本発明は特願２００４−１０９４４４の改良に関するもので、先願が蓄熱材による温熱が電極部で減衰してしまう欠点を、性能を低下させる事なく、ほとんど減衰しないように改良したものである。
【背景技術】
【０００２】  従来より蓄熱材使用の温熱治療器には、併用して磁気効果を狙った磁石、他にマスナスイオンを放射すると言われている、種々の鉱物を原料とした塗料を使用し、マイナスイオン効果を付加したものが有り、これらは特に電源を必要としないので、コードレスタイプにした物が多く製品化されている。【０００３】  このイオン放射鉱物を原料とした放射イオンは、温熱治療器のように袋等に入れて使用する場合、遮蔽する物によっては、イオン放射量が著しく減衰する欠点を有する。
【発明の開示】
【発明が解決しょうとする課題】
【０００４】  本発明が解決しょうとする課題は、イオン電位式をコードレスにする目的で、蓄熱材と人体の間に蓄電用電極を入れる事で、肝心の蓄熱材よりの温熱が減衰し、温熱効果が低下するのを防止するのが課題である。
【課題を解決するための手段】
【０００５】  この課題を解決する手段として、本発明のものは、蓄電用電極を構成する材質を、性能を低下させることなく極薄の材料を使用して、解決しようとするものである。
【発明の効果】
【０００６】  発明の効果としては、従来では不可能であったマスナス高圧電位を、蓄電用電極に蓄電させコードレス化を可能とし、この電極を極薄とし蓄熱材よりの温熱を、減衰させずに使用を可能としたものである。
【発明を実施するための最良の形態】
【０００７】  蓄電用電極により蓄熱材よりの温熱を、大きく減衰させるのを性能を下げること無く、減衰率を低くするのが最良の形態である。
【実施例】
【０００８】  図１に図示せるものは、本発明の断面図であって、蓄熱ヒーター４を内蔵せる蓄熱材３の容器２の上に、極薄電極部９を設けたもので、この極薄電極部９を構成する材質が本発明の主点である。【０００９】  図２に図示せるものは、極薄電極部９の基本構成を示すもので、電極１１にアルミ箔を使用し、その電極１１にてサンドイッチする極薄樹脂板１０に、ポリカーボネイト０，３ｍｍ板を使用したものである。  このまゝ電極部９を構成したのでは蓄電効率が悪いので、電位保持効果を有する極薄樹脂板１０を組み合わせる。【００１０】  図３に図示せるものは、電位効率の良い極薄樹脂板１２にスチレンペーパーの３ｍｍ板を使用するもので、このスチレンペーパーは柔軟性を有する。  蓄電効率は極薄板であるが、１８時間以上で充分実用性を有するものである。【００１１】  図４に図示せるものは、極薄樹脂板１２にスチレンボード１ｍｍ板を使用したもので、性能はペーパータイプと同じであるが、この場合はペーパータイプに対して柔軟性が無い。【００１２】  蓄熱された温度は温度計にて常に測定可能であるが、蓄電されたマイナス高圧は電圧計で測定すると、電圧計を通して放電するので測定する事が出来ない。
それ故今回は蓄電されたマイナス電位を、登録特許第１８９８６２８号「イオン極性判別可能な簡易高感度イオン検知器」により、極性と電位の有無を計測した、しかし指示がＬＥＤバーグラフ表示なので、数値による記録が出来なかった。【００１３】  電極部９による充熱完了蓄熱材３よりの温熱減衰は、先願のテストでは三分の一を減衰したのが、今回のテストではスチレンペーパーは蓄熱材温度５３℃、これに対し６℃減衰の４７℃であり、スチレンボードの場合は４６，３℃までの減衰ですんだので、実用的には差し支えの無い範囲であった。【００１４】  図４は蓄電の必要の無い蓄電池１６を使用したもので、今回のテストでは９０Ｖの電池を準備し、そのマイナス側１７を電極１５に接続した、この場合の電極はアルミ箔のみで良く、蓄熱材の温熱減衰は関係が無くなる、又電池１６は電流を流すことが無いので、その寿命は長いが９０Ｖ電池は特注品になる欠点が有る。
【産業上の利用可能性】
【００１５】
【００１６】  マイナス電位付きの温熱器を、効率を低下させること無く、電極部での温熱減衰を少なくしたものである。
【図面の簡単な説明】
【００１７】
【図１】  本発明の断面図を示すものである。
【図２】  蓄電用電極の説明図である。
【図３】  テストに使用した電極を示す図である。
【図４】  電池を使用したイオン電極を示す図である。
【符号の説明】
【００１５】  １  外ケース
２  蓄熱材ケース
３  蓄熱材
４  畜熱ヒーター
５  ヒーター保持部
６  ヒーター電源接続端子
７  マイナス高圧接続端子
８  蓄熱終了ランプ
９  蓄電電極部
１０  樹脂プレート
１１  蓄電用アルミ箔電極
１２  帯電極薄樹脂プレート
１３  マイナス高圧接続端子
１４  アース接続端子
１５  アルミ箔電極
１６  小形高圧積層乾電池
１７  マイナス側リード
【図１】
2005305071.tif 000003
【図２】
2005305071.tif 000004
【図３】
2005305071.tif 000005
【図４】
2005305071.tif 000006
(57)【要約】      （修正有）【課題】合板は無垢材より周囲の気温湿度に対して安定し、合板の厚さの寸法精度は機械加工より優れている所を利用して、天板のこぼれ水が引き出しの中に入らないような組立式のテーブルを提供する。  【解決手段】側板１は基板２、嵌合部３、コマ４、外板５、内板６に溝７を設け、引き出し８用のレール９を接着して一体化し、側板１の両端に脚Ａ１０、脚Ｂ１１をサラ頭木ネジ１２で締結し、天板枠１３に嵌合部３、コマ４のはめ込み用のホゾ穴１４を設け、天板枠１３にガラス天板１５の取付用の刻１６を設け、その外周にこぼれ水を溜める溜溝１７を設け、購入者は、コマ４を側板の凹部に入れ、天板枠１３をはめ込み、脚を取付けた側板１の左右両側に連結板１８に木ネジ１９で固定する。【選択図】図１
2005305077.tif 000002
【特許請求の範囲】
【請求項１】
（イ）側板（１）は基板（２）、嵌合部（３）、コマ（４）、外板（５）、内板（６）に溝（７）を設け、引き出し（８）用のレール（９）を接着して一体化する。
（ロ）側板（１）の両端に脚Ａ（１０）、脚Ｂ（１１）をサラ頭木ネジ（１２）で締結する。
（ハ）天板枠（１３）に嵌合部（３）、コマ（４）のはめ込み用のホゾ穴（１４）を設ける。
（ニ）天板枠（１３）にガラス天板（１５）の取付用の刻（１６）を設け、その外周にこぼれ水を溜める溜溝（１７）を設ける。
（ホ）購入者は、コマ（４）を側板の凹部に入れ、天板枠（１３）をはめ込む。
脚を取付けた側板（１）の左右両側に連結板（１８）に木ネジ（１９）で固定する。
以上の構成よりなる組立式のテーブル。
【発明の詳細な説明】
【技術分野】
【０００１】  本発明は、組立式のテーブルで、合板は無垢材より周囲の気温湿度に対して安定している、合板の厚さの寸法精度は機械加工より優れている所を利用する。
本発明の要となる側板に合板を使用し、その長所を利用し、加工は巾と長さの平面加工で、５点のパーツを接着立体化し、側板と天板の寸法精度はコマの弾性ゴムでガタを吸収し、天板のこぼれ水を引き出しの中に入らない様、天板枠に溜溝を設けた組立式のテーブルに関するものである。
【背景技術】
【０００２】  従来、天板と脚を固定し、脚の下部に補強材を持つテーブルがあった。
【発明が解決しようとする課題】
【０００３】（イ）従来、脚を取付ける側板は無垢材を使用していた。
刻加工を施すと加工部分の含水量が異なり、暴れの原因となり、脚の下部に補強材を取付ける必要がある。
（ロ）側板に無垢材を使用すると木材の無駄が多く、加工に時間と技術が必要である。
（ハ）従来、嵌合部は固定で、天板を取付ける時、調整加工が必要で素人には困難である。
（ニ）天板のこぼれ水が隙間から引き出しの中に入る。
本発明は、以上の問題点を解決するためのものである。
【課題を解決するための手段】
【０００４】（イ）側板（１）は基板（２）、嵌合部（３）、コマ（４）、外板（５）、内板（６）に溝（７）を設け、引き出し（８）用のレール（９）を接着して一体化する。
（ロ）側板（１）の両端に脚Ａ（１０）、脚Ｂ（１１）をサラ頭木ネジ（１２）で締結する。
（ハ）天板枠（１３）に嵌合部（３）、コマ（４）のはめ込み用のホゾ穴（１４）を設ける。
（ニ）天板枠（１３）にガラス天板（１５）の取付用の刻（１６）を設け、その外周にこぼれ水を溜める溜溝（１７）を設ける。
（ホ）購入者は、コマ（４）を側板の凹部に入れ、天板枠（１３）をはめ込む。
脚を取付けた側板（１）の左右両側に連結板（１８）に木ネジ（１９）で固定する。
以上の構成よりなる組立式のテーブル。
【発明の効果】
【０００５】  脚を取付けた側板は暴れがなく安定して、脚下部に補強材の必要がない。
合板の厚さの寸法精度は機械加工より優れている。
天板と側板は弾性ゴムの伸縮性を利用したコマ（４）でガタが無くなる。
溜溝を設けたので引き出しの中に天板からのこぼれ水が入らない。
【発明を実施するための最良の形態】
【０００６】  以下、本発明の実施の形態について説明する。
（イ）側板（１）は基板（２）に嵌合部（３）、コマ（４）用の凹部を設け、嵌合部（３）、外板（５）、内板（６）に溝（７）を設け、引き出し（８）用のレール（９）を接着して一体化する。
（ロ）側板（１）の両端に脚Ａ（１０）、脚Ｂ（１１）をサラ頭木ネジ（１２）で締結する。
（ハ）天板枠（１３）に嵌合部（３）、コマ（４）のはめ込み用のホゾ穴（１４）を設ける。
（ニ）天板枠（１３）にガラス天板（１５）の取付用の刻（１６）を設け、その外周にこぼれ水を溜める溜溝（１７）を設ける。
（ホ）側板（１）の凹部に弾性ゴムのコマ（４）を挿入し、天板枠（１３）をはめ込む。
（ヘ）購入者は、コマ（４）を側板の凹部に入れ、天板をはめ込む。コマ（４）は伸縮性ゴムで調整することがなくガタが無い。脚を取付けた側板の両側に連結板（１８）２本を木ネジ（１９）で固定する。
本発明は以上の構成となっている。
天板の大きさは９０ｃｍ×６０ｃｍで、新聞紙全ページ開きの大きさで折りたたむことなく読み残しがない。
食卓テーブルで食事をしながら新聞を読むと、食器に手が届かなかったが、本発明のテーブルは、引き出しを半開きにし、食器を入れ食事をすることができる。
その他、キーボードを入れ、パソコンテーブルにすることができる。
又、引き出しの底をガラスとしたものは天板越にペットと遊ぶことができる。
又、床に置いた荷物が見えるので忘れ物がなくなる。
引き出しを２段以上とし、陳列テーブルにもなる。
引き出しを閉めた時、引き出し、天板枠、側板、脚は面一となり段差がなくなり使いやすい。
そのため、天板板に指が入らないので、無意識に天板を外すことがない。
本発明のテーブルは、引き出しの形状を変えることで多目的に使用できることが特徴である。
【図面の簡単な説明】
【０００７】
【図１】本発明の全体分解斜視図
【図２】本発明の斜視図
【図３】従来のテーブル斜視図
【図４】本発明の一部断面図
【図５】接着前の側板の分解斜視図
【図６】接着後の側板の斜視図
【符号の説明】
【０００８】    １  側板
２  基板
３  嵌合部
４  コマ
５  外板
６  内板
７  溝
８  引き出し
９  レール
１０  脚Ａ
１１  脚Ｂ
１２  サラ頭木ネジ
１３  天板枠
１４  ホゾ穴
１５  ガラス天板
１６  刻
１７  溜溝
１８  連結板
１９  木ネジ
【図１】
2005305077.tif 000003
【図２】
2005305077.tif 000004
【図３】
2005305077.tif 000005
【図４】
2005305077.tif 000006
【図５】
2005305077.tif 000007
【図６】
2005305077.tif 000008
(57)【要約】【課題】簡易水洗トイレにおいて、便漕マス内の蓄積量がトイレ室内に居ながらに常に目視可能とする。【解決手段】便漕マス内に溜まる汚水の水面にフロートを浮かべそのフロートの浮力により上部に取り付けたゲージ棒が押し上げられゲージ部が上昇移動する事により蓄積量の状態を目視可能とする。【選択図】      図１
2005305092.tif 000002
【特許請求の範囲】
【請求項１】
簡易水洗トイレにおいて便漕マス内に溜まる汚水の水位変化を利用する為、汚水面にフロートを浮かべ、そのフロート上部にゲージ棒を取り付けトイレ室内側まで立ち上げる、ゲージ棒は垂直な状態を保たせるためトイレスラブの開口部にガイドパイプを取り付け、その中央を通し正確に上下運動する様にしトイレ室内側に立ち上がったゲージ棒の上端部には、ゲージ部を設け目視しやすい形状とし全体を透明パイプで囲み保護する。
透明パイプは床・壁等に固定し、表面に汲み取り時期や定期的に浮上する水位をマーキング出来る様にする。
【発明の詳細な説明】
【技術分野】
【０００１】  本発明は、簡易水洗トイレの便漕マスの蓄積量を計測したり、汲み取り時期を表示することを目的としたゲージに関する物である。
【背景技術】
【０００２】  水洗地域に対し非水洗地域では、下水管設備が普及していないため一般的に建物の基礎コンクリートを利用して便漕マスを設けたり、専用の便漕マスを設置しトイレからの排泄物をそのマスに溜め定期的に汲み取る方式を取っている。
従来その便漕マスの汲み取り時期を調べるためには排便口を上から覗き込んだり、外に設けられた汲み取り口まで行って、蓋を開け中を覗くと言った面倒な作業をしなければならなかった。
さらに簡易水洗トイレが普及した現在、排便口の穴が小径となり、便漕マスからの悪臭を防止するためにトラップ弁が用いられトイレ室内から排便口を通し便漕マスを覗くことが困難となった。
【発明の開示】
【発明が解決しようとする課題】
【０００３】  外に設けられた汲み取り口まで行って蓋を開け便漕マスの中を覗き込み蓄積量を確認しなければならない面倒な点と、汲み取り時期を忘れ過ごす点。
【課題を解決しようとする手段】
【０００４】  本発明は、簡易水洗トイレの便漕マス内に溜まる汚水量の状況をトイレ室内から手間をかけず常に確認する事が出来ることを最も主要な特徴とする。
【発明の効果】
外に設けられた汲み取り口まで行って、蓋を開け便漕マスの中を覗き込み蓄積量を確認しなければならない面倒な作業を解消し、トイレ室内に居ながら常に便漕マス内の状況を把握する事が出来る。
又、汚水面の上昇値を定期的に測定する事によって、洗浄水の節水の目安となる。
【実施例】
【０００５】  便漕スラブ７に円形の開口を開け、その開口からフロート１を取り付けたゲージ棒２を通し汚水面６に浮かべる。
ゲージ棒２は垂直かつ正確に上下運動する様ガイドパイプ３を通し、便漕スラブ７にガイドパイプ３を固定する。
ゲージ棒２の上端部にはゲージ部４を取り付け、透明パイプ５で囲み保護をする事でフロート１の浮力が直接ゲージ部４を浮上させ汚水量を確認する事が出来る。
【図面の簡単な説明】
【０００６】
【図１】便漕マス汲み取りゲージの設置方法を示した説明図である。
【符号の説明】
【０００７】  １  フロート
２  ゲージ棒
３  ガイドパイプ
４  ゲージ部
５  透明パイプ
６  汚水面
７  トイレスラブ
【図１】
2005305092.tif 000003
(57)【要約】      （修正有）【課題】病人や寝たきりの人が床ずれや足の筋力のおとろえを軽減させて早く立って歩けるようになれる事が目的である。【解決手段】ベットに傾斜や尻置きや足置きをつけて体重を分散させて床ずれや足の筋力のおとろえを軽減させるようにした。【選択図】図１
2005305096.tif 000002
【特許請求の範囲】
【請求項１】
（１）ベットに傾斜をつける。（２）尻を乗せる段をつける。（３）足を乗せる台をつける。
【発明の詳細な説明】
【発明の詳細な説明】
【０００１】〔発明の属する技術分野〕この発明は傾斜や、尻、足おき台を付けたベットに関するものである。
【０００２】〔従来の技術〕従来のベットは平面のため体重が下の方だけにかかり足の筋力弱りや床ずれの原因になっている。
【０００３】〔発明は解決しようとする課題〕本発明はその欠点をなくするために傾斜等を付ける事によって床ずれや足の筋力のおとろえを軽減する課題として研究をすすめた。
【０００４】〔課題を解決するための手段〕（床ずれ）や足の筋力のおとろえを軽減するためにベットに傾斜をつけて（背中）（尻）（足）で分散して支える事によって（床ずれ）（足の筋力）のおとろえを軽減する事が最上である事を発見した。
【０００５】〔発明の効果〕本発明は以上のような構成だから体重は分散されてささえられるので（床ずれ）や（足の筋力）のおとろえを軽減する効果が生れた。
【図面の簡単な説明】
【図１】本発見の斜視図
【図２】側面図
【図３】正面図
【図１】
2005305096.tif 000003
【図２】
2005305096.tif 000004
【図３】
2005305096.tif 000005
(57)【要約】      （修正有）【課題】ゴルフプレイの自由度、楽しさを目的としたゴルフ用パターを提供する。【解決手段】ヘッドのソール部分を円形の一部もしくは円形としてシャフトを中央に垂直に取り付けることにより、自由なライ角で右打ち、左打ち、正面打ち等が容易にできるようにした。【選択図】  図１
2005305093.tif 000002
【特許請求の範囲】
【請求項１】
ソール部分を円又は円の一部の形としシャフトを中央に垂直に取り付けたゴルフ用のパター
【発明の詳細な説明】
【技術分野】
【０００１】  本発明は、自在に打つ事ができることを図ったゴルフ用パターに関する。
（発明の開示）
（発明が解決しようとする課題）【０００２】  現在使われているパターは決められた範囲の打ち方しかできない。【０００３】  本発明は、従来の構造から脱却して右打ち、左打ち、正面打ち等が出来る構造にしゴルフプレイの自由度、楽しさを目的にしたものである。
（問題を解決するための手段）【０００４】  ソール部分を円形の一部もしくは円形としシャフトを中央に垂直に取り付けることにより自由なライ角度でボールを打つことができる。
（発明の効果）【０００５】  このことにより、自由なライ角で右打ち、左打ち、正面打ちが容易く出来るようになり、いろいろな障害物にも対応できる。
【図面の簡単な説明】
【０００６】  （図１）  目標方向から見た図
（図２）  上から見た図
（図３）  正面打ちの目標方向から見た図とスタンスの図
（図４）  左打ちの目標方向から見た図とスタンスの図
（図５）  右打ちの目標方向から見た図とスタンスの図
【図１】
2005305093.tif 000003
【図２】
2005305093.tif 000004
【図３】
2005305093.tif 000005
【図４】
2005305093.tif 000006
【図５】
2005305093.tif 000007
(57)【要約】      （修正有）【課題】カビが生えることのない、衛生的な水切り用容器保持具を提供する。【解決手段】  容器の底の部分を保持できる保持部４，５と、この保持部を天井に接着するための接着部２とからなる構造にした。【効果】従来使用されていなかった台所の天井７を利用することができ、また水切り用容器保持具に水がかからないので衛生的にも優れている。【選択図】  図１
2005305068.tif 000002
【特許請求の範囲】
【請求項１】
ペットボトル、紙パックおよび空き缶のなどの容器の水切りに用いられる水切り用容器保持具であって、容器の底の部分を保持することができる保持部とこれを天井に接着するための接着部とからなる。
【請求項２】
前記の接着部に着脱可能な吸盤を用いた請求項１の水切り用容器保持具。
【請求項３】
前記の接着部に粘着両面テープを用いた請求項１の水切り用容器保持具。
【請求項４】
前記の接着部に磁石を用いた請求項１の水切り用容器保持具。
【請求項５】
前記保持部にプラスチックや樹脂などを用い、力を加え変形させたときに元の形状に戻ろうとする性質を利用した請求項１の水切り用容器保持具。
【請求項６】
前記保持部にバネの反発力を利用した請求項１の水切り用容器保持具。
【発明の詳細な説明】
【技術分野】
【０００１】  本発明は、天井に設置することのできる水切り用容器保持具に関する。
【背景技術】
【０００２】  従来、ペットボトルや、空き缶、空き容器などの水きり具には側壁に設置するものなどがあった（特許文献１参照、特許文献２参照）【０００３】  以下、図４により従来の水切り具について説明する。この水切り用容器保持具１１は、壁面にその裏面側が接着固定される固着部１２と、この固着部１２の表面側に備えられるフック形状の容器ホルダー１３とを一体成形してなり、容器ホルダー１３にペットボトルや紙パックなどの容器の口を差し込むことにより、洗浄後の容器の水切りを可能としている。
【特許文献１】  特許出願２０００−２４８３３７
【特許文献２】  実用新案出願２００１−３８７３
【発明の開示】
【発明が解決しようとする課題】
【０００４】これは次のような欠点があった。
側壁にしか設置ができなかった。また、容器の口を水切り具に差し込む構造であるため、水切り具が水に濡れやすく、水切り具にカビが生えるなどして衛生的に良くなかった。【０００５】本発明はこのような、このような課題を解決するためになされたものである。天井に設置することができ、容器の底を保持し、容器の口を下にした状態で容器を保持、水切りが可能である、天井に設置可能な水切り用容器保持具を提供する。
【課題を解決するための手段】
【０００６】前期目的を達成するため、本発明はペットボトル、紙パックおよび空き缶などの容器の水切りに用いることができる天井に設置可能な水切り用容器保持具であって、容器の底の部分を保持することのできる保持部とこれを天井に設置するための接着部備えていることを特徴とする。【０００７】接着部には吸盤、両面粘着テープまたは磁石などを用いる。【０００８】保持部にはプラスチック版などを保持する容器の幅よりやや狭い間隔をあけて設置する。【０００９】また保持部の他の構成として保持する容器より広い間隔で固定板２枚を設置する。この固定版の一方の内側にバネを設ける。さらにこのバネの他方に可動板を備え付ける。
【発明の効果】
【０００６】本発明を利用することにより台所の天井という従来使用されていなかったスペースを有効利用することができる、また水切り用容器保持具にほとんど水がかかないので、従来の容器の口を差し込むタイプの水切り具に比べて衛生的である。
【発明の実施するための最良の形態】
以下、本発明の水切り用容器保持具の実施の形態について説明する。本発明の水切り用容器保持具は、ペットボトル、紙パックおよびアルミ缶などの水切りに用いられるもので、図１、図２及び図３はその実施形態を示す図である。
【０００７】本発明の容器保持具は容器の底を保持することのできる保持部１と基盤３、そしてこれを天井に設置するための接着部２とからなる。接着部２は基盤３を介して保持部１の反対側に備え付けられている。
【０００８】上記の容器保持具において保持部１は固定保持部４と弾力性のある素材でできた可動保持部５とからなる。この構造においてペットボトルなどの容器を保持するときには容器の底の部分で可動保持部５を押し開けるようにして容器の底の部分を固定保持部４と可動保持部５の間に挿入する。すると容器の底の部分は可動保持部の弾力性によって固定保持部４と可動保持部５とに挟まれて、容器の口の部分を下にした状態で容器を保持することができる。
【０００９】また保持部１にバネを用いた構造について説明する。この場合保持部１は固定保持部４と固定保持部８そして可動保持部９さらに固定保持部８と可動保持部９との間にバネ１０を備え付けたことを特徴とする。この構造においてもペットボトルなどの容器を保持するときには容器の底の部分で可動保持部９を押し開けるようにして容器の底の部分を固定保持部４と可動保持部９との間に挿入する。
【００１０】本発明の容器保持具において、接着部２には吸盤や両面粘着テープまたは磁石などを用いることができる。
【図面の簡単な説明】
【図１】  本発明の実施形態を表す斜視図。
【図２】  本発明の請求項５の実施例を表す斜視図。
【図３】  本発明の請求項６の実施例を表す斜視図。
【図４】  従来の水切り具の斜視図
【符号の説明】
１    容器保持部
２    接着部
３    基盤
４    固定保持部
５    可動保持部
６    ペットボトル
７    天井
８    固定保持部
９    可動保持部
１０  バネ
１１  水切り用容器保持具
１２  固着部
１３  ホルダー
【図１】
2005305068.tif 000003
【図２】
2005305068.tif 000004
【図３】
2005305068.tif 000005
【図４】
2005305068.tif 000006
(57)【要約】      （修正有）【課題】物品がずり落ちたりすることなく、固定できる、フリータック小物掛けを提供する。【解決手段】面フアスナーの線状中央部に溝線を作り、自由形成金属線とずり止め線を付着させる。２枚合わせて小物を挟みタックを取り、自由なホールを設けることによる、フリータック小物掛けを構成する。【効果】挟む小物の太さに合わせタックをとり、ホールを設けることが出来、またずり落ちない工夫で小物は固定できる。外した小物の後は、ホールが形成されているので、再び即座に差し込むことが出来る。【選択図】図２
2005305064.tif 000002
【特許請求の範囲】
【請求項１】
面フアスナーの線状に沿った中央部に溝線を作り、この溝線に自由形成金属線とずり止めテープを付着させたことを特徴とするフリータック小物掛け。
【発明の詳細な説明】
【技術分野】
【０００１】  本発明は、面フアスナーに、自由形成金属線とずり止めテープを付着させたフリータック小物掛けに関するするものである。
［背景技術］【０００２】  従来、面フアスナーは、平面使用着脱方法として使用していた。
［発明の開示］
［発明が解決しようとする課題］【０００３】そのために、次のような問題点があった。
（イ）面フアスナーとの間にホールを設け、小物等差し込み固定させて使用できるものはなかった。
（ロ）例として、バック類の内部のペン差しホール等、テープで予めきめたタックを取り縫い留めてあるもので、物品がずり落ちたり固定できるものではなかった。底で乱雑として見えにくい状態になる。
本発明は、これらの問題点を解決するためになされたものである。
［課題を解決するための手段］【０００４】  面フアスナーの線状に沿っての中心部に溝線を作り、この部分に自由形成金属線とずり止めテープを付着させる。以上を特徴とするフリータック小物掛け。
［発明の効果］【０００５】  挟む小物の太さに合わせタックを取りホールを設けることができる。また、ずり落ちない工夫で小物が固定できる。
はずした小物の後は、形成されたホールであるため再び即座に差し込みができるのでいつも一目瞭然の使いやすさでもある。
［発明を実施するための最良の形態］【０００６】以下、本発明の実施の形態について説明する。
（イ）面フアスナー（１）の中央部溝線（２）に自由形成金属線（３）にずり止めテープ（４）をかぶせるように付着させることにより自由にタックが取れるようになる。
（ロ）この２枚の間に小物を挟み両脇を押さえた押し付け部（５）によりホール（６）が設けられて、差し込み、離脱ができるようになる。
［実施例１］【０００７】  例として、バック、化粧ポーチでは内部に合わせ使用できる長さに切りセットした状態ならば、後は各自ペン類また化粧道具のミニボトル、筆等に合わせ設定したホールで固定できるため、使用する順に並べられるなど一目瞭然として使いやすくなる。
［実施例２］【０００８】  例として、壁面にも利用できる。また、フックを付け上から下にぶら下げて使用することもできる。
【図面の簡単な説明】
【０００９】    ［図１］本発明の平面図
［図２］本発明のタック取り平面図
［図３］例  ぶら下げ使用平面図
【符号の説明】
【００１０】    １  面フアスナー
２  溝線
３  自由形成金属線
４  ずり止めテープ
５  押し付け部
６  ホール
【図１】
2005305064.tif 000003
【図２】
2005305064.tif 000004
【図３】
2005305064.tif 000005
(57)【要約】      （修正有）【課題】肌に優しく、泡立ちのよい垢すりと、肌に刺激のある垢すりとの使い分けができる垢すりを提供する。【解決手段】タオルの半分程度の巾で、長さ約１メートル位のサイズのスポンジ面による垢すりは、スポンジが丈夫でないので引っ張るとすぐに切れてしまうが、この柔らかいスポンジ面を、丈夫なナイロン等の布面の垢すりと密着させることにより、丈夫で肌に優しく、泡立ちのよいスポンジ面の垢すりを作ることを可能とした。つまり、スポンジ面の裏面が丈夫で肌に刺激のあるナイロン等の布面の垢すりで、片面スポンジ面、もう１つの片面がナイロン等の布面で２つの機能を備えた垢すりとした。また、垢すりの両端に取っ手を設け、両手で取っ手を持って容易に背中を洗える垢すりとした。【選択図】図２
2005305061.tif 000002
【特許請求の範囲】
【請求項１】
片面をスポンジ等の垢すり面、もう一方の片面をナイロン等の垢すり面で、各面用途に応じ使用できる垢すり
【請求項２】
請求項１の垢すりの両端に、スポンジ等による取っ手を設ける
【発明の詳細な説明】
【技術分野】
【０００１】この発明は片面がスポンジ面で、もう一方の面がナイロン等の布面の垢すりで、使用する人の好み、または体を洗う場所によってどちらかの垢すり面を選んで使用できる。
この垢すりの両端にスポンジ等による取っ手を設けることで、この取っ手を図３のように中央に向けて丸めて使用するときは、体を洗い、また取っ手を両手で持つことにより背中を洗うことも可能とした、両面相違する垢すり面を有し、また垢すりの両端に取っ手を設けた垢すりである。
［背景技術］【０００２】石鹸の泡立ちがよく、肌に優しいスポンジ面の垢すりと、肌に刺激のあるナイロン等の布面の両面を有する垢すりで、使用者の好みと、体の洗う個所により垢すり面を使い分けができる。またこの垢すりサイズのスポンジ面だけの垢すりとして使用すると、スポンジは柔らかく、丈夫でないのですぐに切れてしまうが、片面が丈夫なナイロン等の垢すり面に付着させることによりスポンジ面を丈夫な垢すりとして使用することを可能にした。
［発明の開示］
［発明が解決しようとする課題］【０００３】１つの垢すりで、スポンジ等の垢すり面とナイロン等の垢すり面の両方を備えた垢すりで使用者の好みでどちらかの面を選択して使用することができ、また体だけでなく、垢すりの両端の取っ手を持って背中も洗うことができる垢すりとする。
［課題を解決するための手段］【０００４】この垢すりは各面を、スポンジ等の垢すり面と、ナイロン等の布の垢すり面から構成されているため、図３のように垢すりを重ねて使用した場合、ナイロン等の布面がずれ易いので、図１・２で垢すりの中央に１本（符号３の破線）またはそれ以上の本数で両面を縫い合わせることで、スポンジ面とナイロン等の布面が互いにずれないようして、垢すりの両面が安定して体を洗えるようにこの縫い目（縫い目は縦・横可）を設けた。
また、ナイロン等の布面の垢すりの回りにスポンジ面を取り付けた符号４の部分は、図３のように、スポンジ面とナイロン等の布面が重ねて使用する場合、ナイロン等の布面の表面が滑り易いので、垢すりが重なっても垢すりの位置が滑らず、安定するように、ナイロン等の布面の一部分にスポンジ等の面を設けた。
［発明の効果］【０００５】発明の効果は下記のとおりである
イ、スポンジ等の垢すり面とナイロン等の垢すり面が両面あるので使用者の好みでどちらかの面を選んで使用できる。
ロ、垢すりの両端の取っ手をもって背中を洗うことができる。
ハ、図３ではこの垢すりの１つの使用方法として、垢すりの両取っ手の部分から中央に向け丸め、中央部分で揃え上部の部分（符号６）に、石鹸等を付して体を洗う、使用する面はスポンジ面、ナイロン等の布面を使用者の好みで選択して使用する。
ニ、スポンジは泡立ちがよいが、それに比較してナイロン等の垢すり面は、泡立ちが悪い、しかし裏面がスポンジ面で密着しているのでナイロン等の垢すり面も泡立ちがよくなる。またこの垢すりで背中を洗うとき、スポンジ面があるので垢すりがねじれにくく、垢すりの巾を保ち効率よく背中を洗うことができる。
ホ、この垢すりに石鹸を付けて体を洗った後、スポンジがお湯を多く含むので、この垢すりにお湯を吸い込ませて、体に付いた石鹸を集中して洗い流すことができる。風呂桶でお湯を掛けて洗い流すより少量のお湯で洗い流せるので経済的である。
ヘ、この垢すりは、スポンジ面とナイロン等の布面から構成されているので垢すり使用後は、丸める等してしぼると水はけがよい。
［発明を実施するための最良の形態］【０００６】この垢すりは、片面を薄いスポンジの板をスポンジ面とし、スポンジ面の裏側をナイロン等の布の垢すり面とし、両面の垢すりを図１・２のように縫い合わせた垢すりで、巾はタオルの半分程度、長さは約１メートル位とし、背中を洗う時、また図３のように垢すりを丸め符号６の部分に石鹸を付けて体を洗う時、体を洗い易くするために、垢すりの両端に、スポンジ等の取っ手を設けた。
【図面の簡単な説明】
【０００７】［図１］
スポンジ等による垢すり面を上部から見た図。
［図２］
ナイロン等の布の垢すり面を上部から見た図。
［図３］
この垢すりの使用例として、両端にある取っ手の部分を垢すりの中央に向け丸く包みこみ、符号６の部分に石鹸等を付けて使用する図である。
その他、垢すりを折りたたんで使用する方法等がある。
［図４］
垢すりのナイロン等の布面を上にして見た斜視図である。
【符号の説明】
【０００８】図面に付した番号は各図面共通の番号で下記のとおりである
１．スポンジ等による垢すり面の部分。
２．垢すりの両端にある取っ手の部分
３．図１・２に記載されている破線でスポンジ面の垢すりと、ナイロン等の布面からなる両垢すり面を縫い合わせた縫い目。
４．ナイロン等による垢すり面の部分。
５．ナイロン等の布面の垢すりの回りにスポンジ面を取り付けた部分で、面と面とが重なっても各面がずれないようにするために設けた。
６．垢すりの両取っ手の部分から中央部分に向け丸めた状態の垢すり図。
【図１】
2005305061.tif 000003
【図２】
2005305061.tif 000004
【図３】
2005305061.tif 000005
【図４】
2005305061.tif 000006
(57)【要約】【課題】温められた石の上に寝転んで身体を温める入浴法である岩盤浴において一度の入浴で岩盤浴効果と薬草浴の効果を同時に提供することを目的とする。【解決手段】岩盤浴用の石板に数個の孔を形成して、その孔に薬草を固化したフィルターや薬草の粉砕等を埋設可能にする。更なる方法として、岩盤浴用の石板の下に薬草を敷設し、その下から温めることにより、薬草の発散物が石板を通して均一的に発散させる構造にする。【選択図】図１
2005305070.tif 000002
【特許請求の範囲】
【請求項１】
温められた石板に寝転んで、体を温める入浴法である岩盤浴用の石板において、数個の孔を列置した構造にし、薬草入りフィルター又は薬草粉砕物を埋設可能にしたことを特徴とする岩盤浴用の石板
【請求項２】
温められた石板に寝転んで、体を温める入浴法である岩盤浴用の石板において、請求項１記載の石板を上面に配し、その下に薬草を敷き込み、薬草と上面の石板を熱することにより発散する成分が寝床全体に均一に発散可能にさせることを特徴とする請求項１記載の岩盤浴用の石板
【発明の詳細な説明】
【技術分野】
【０００１】  温められた石の上に寝転んで身体を温める入浴法である岩盤浴に関する。
【背景技術】
【０００２】  従来の岩盤浴については、人間の健康に必要とするマイナスイオン効果、遠赤効果、波動効果、放射線効果を得る目的として、トルマリン石、麦飯石等の石類を用いられ、これらの石を含む含有物を効率よく発生させるために、電気熱、給湯熱、直火炊き熱等で温め、その上に寝転んでサウナのような発刊作用を得る方法が用いられてきた。【０００３】  また、薬草の効能を活かす入浴方法及び療法は、浴槽の湯に直接薬草を漬け込む方法や、薬草樹液を湯に混ぜる方法があった。さらに、サウナ室、スチームバスの中で薬草を蒸し、発散物を人体に浴びせるといった方法もあった。
【特許文献１】特開２００３−３１９９９７
【特許文献２】特開２００３−２９０３１２
【発明の開示】
【発明が解決しようとする課題】
【０００４】  しかしながら、従来の方法では、それぞれの効果を得るには、それぞれのサービスを提供する設備を要する所に行き、入浴するしか方法はなく、一度の入浴で岩盤浴効果と薬草浴の効果を同時に得ることはできなかった。
【課題を解決するための手段】
【０００５】  上記の問題を解決するために、岩盤浴用の石板に数個の孔を形成して、その孔に薬草を固化したフィルターや薬草の粉砕等を埋設可能にする。【０００６】  更なる方法として、請求項１の岩盤浴用の石板の下に薬草を敷設し、その下から温めることにより、薬草の発散物が石板を通して、均一的に発散させる構造にする。【０００７】  上記のいずれかの方法で薬草を敷き込み、発熱装置を用いて石板を温めることによって、一度の入浴で岩盤浴の効果と薬草浴の効果を同時に得ることが可能になる。
【発明の効果】
【０００８】  本発明は、上述したような機能になっているため、石に含まれる成分によって、マイナスイオン効果、遠赤効果、波動効果、放射線効果を得ると同時に、石板に孔を設けて、薬草フィルターや薬草の粉砕物を挿入して使用する方法や、石板の下に薬草を敷き込んで使用する方法を用いれば、薬草の成分を身体全体に浴びることができるようになる。また、石の表面積が大きいほど石が有する有効成分の発生率が良くなる。本発明の石板の構造にすることにより、石の表面積が増すため、効果も更にあがる。
【実施例１】
【０００９】  以下、本発明の実施の形態を図面により詳述する。
本発明にて使用する岩盤には、天然石と人造石があり本発明では、両方の石を利用可能とする。図１は、本実施の形態の平面図であるが、岩盤を人間が寝転んで入浴できるように、略正方形に石板を加工する。次に、石板に数個の孔２を設けて、適度な間隔を開けて列置し、図２の薬草を固化したフィルター４や薬草の粉砕物６が埋め込み可能な構造にする。【００１０】  更には、石板の本体の底部には、図５のように、加熱可能な発熱装置Ｃを備えている。使用方法は、図３のように、薬草フィルター４や薬草の粉砕物６を孔２に挿入し、図６のように石板１の上に横たわる。次に発熱装置Ｃによって、石板１を温める。それによって、石の含まれる成分を浴び、更には、薬草のフィルター４や薬草の粉砕物６が加熱され薬草が燻されることによって、薬草からでる成分が身体に浴びることができる。
【実施例２】
【００１１】  更なる実施例としては、図４のように、図１と同様に孔２を列置する加工を石板１に施し、その底部に薬草７を敷設し、石板１とステンレス板５にて薬草７を挟み込む状態にし、その上に人間８が横たわり、発熱装置Ｃよって、石板を温めることによって、石の含有物を放射、発生して身体を温めながら、石に含まれる成分を浴び、石板１とステンレス板５の間にある薬草７が加熱されて発生した成分を石板１に設けた孔２から、発散させ浴びることができる。
【産業上の利用可能性】
【００１２】  今般、石から放射・発生される成分を浴びることへの効能については注目されており、効果についても十分知られている。本発明では、更なる薬草による効果についても、同時に浴びることができる入浴方法であり、療養の効果もあるため、たくさんの人が利用についても望まれると考える。そのため、観光地やレジャー施設等に設置したり、自宅に個別サウナを設置するように、岩盤浴の装置も設置し、各自自宅で入浴できる設備としても利用できる。
【図面の簡単な説明】
【００１３】
【図１】Ａ：実施例１の石板の平面図  Ｂ：実施例１の石板の断面図
【図２】薬草フィルターの上面図
【図３】実施例１の使用図
【図４】実施例２の使用断面図
【図５】使用を示した側面図
【図６】使用を示した上面図
【符号の説明】
【００１４】１石板
２孔
４フィルター
５ステンレス板
６薬草粉砕物
７薬草
８人間
Ｃ発熱装置
【図１】
2005305070.tif 000003
【図２】
2005305070.tif 000004
【図３】
2005305070.tif 000005
【図４】
2005305070.tif 000006
【図５】
2005305070.tif 000007
【図６】
2005305070.tif 000008
(57)【要約】【課題】従来、美顔用スチーマーは大きく、持ち運びに不便であった。    大きくて、重く、持ち運びに不便。精製水や化粧水では、あまり肌に浸透しない。      また、スチームが大きく広がり、逃げてしまいやすい。    スチームを近くに当てても熱くない。【解決手段】      本体（１）に取り外しのできるタンク（２）に地下深層水（Ａ）を入れ、蒸気発生装置（３）と、その蒸気（Ｂ）を出すための吹き出し口ノズル（４）を付け、それの損傷を防ぐためにキャップ（５）をかぶせた携帯美顔用スチーマーである。【選択図】    図１
2005305083.tif 000002
【特許請求の範囲】
【請求項１】
本体（１）に取り外しのできるタンク（２）に地下深層水（Ａ）を入れ、蒸気発生装置（３）と、その蒸気（Ｂ）を出すための吹き出し口ノズル（４）を付け、それの損傷を防ぐためにキャップ（５）をかぶせた携帯美顔用スチーマー。
【発明の詳細な説明】
【技術分野】
【０００１】  本発明は、取り外しのできるタンクに地下深層水を入れ、蒸気発生装置をつけ、その先にノズルを設け、キャップをかぶせた携帯用の美顔スチーマーに関するものである。
【背景技術】
【０００２】  従来、美顔用スチーマーは大きく、持ち運びに不便であった。
【発明の開示】
【発明が解決しようとする課題】
【０００３】  これは、次のような欠点があった。
大きくて、重く、持ち運びに不便。精製水や化粧水では、あまり肌に浸透しない。
また、スチームが大きく広がり、逃げてしまいやすい。
本発明は、以上のような欠点をなくすためになされたものである。
【課題を解決するための手段】
【０００４】  本体（１）に取り外しのできるタンク（２）に地下深層水（Ａ）を入れ、蒸気発生装置（３）と、その蒸気（Ｂ）を出すための吹き出し口ノズル（４）を付け、それの損傷を防ぐためにキャップ（５）をかぶせた携帯美顔用スチーマーである。
【発明の効果】
【０００５】  コンパクトで携帯に便利。地下深層水は分子が細かく、乾燥し、萎縮してしまった細胞をふっくら潤わせることができる。
【発明を実施するための最良の形態】
【０００６】  以下、本発明の実施の形態について説明する。
本体（１）に地下深層水（Ａ）をタンク（２）に入れ、タンク（２）′の差し込        み口を本体（１）′に合わせる。
蒸気発生装置（３）から出る蒸気（Ｂ）をノズル（４）の口から放出させる。
ノズル（４）の損傷を防ぐために、キャップ（５）をかぶせた、
携帯美顔用スチーマーである。
穏やかなスチームにより、顔肌近くにあてても、あまり熱くない。
このため従来のスチーマーより、長い時間同じ箇所にあて続けることができる。        それにより、地下深層水の蒸気が乾燥や萎縮してしまった細胞によく浸透する。        地下深層水の水分子は細かく、お肌をみずみずしく潤わせ、肌に活力をも与える        ことができる。さらに、天然マイナスイオンで癒し効果がある。
【図面の簡単な説明】
【０００７】
【図１】  本発明の斜視図
【図２】  本発明の分解斜視図
【図３】  本発明の構造
【符号の説明】
【０００８】        １    本体
２    タンク
３    蒸気発生装置
４    ノズル
５    キャップ
Ａ    地下深層水
Ｂ    蒸気
１′  本体受け入れ口
２′  タンク差し込み口
【図１】
2005305083.tif 000003
【図２】
2005305083.tif 000004
【図３】
2005305083.tif 000005